(57)【要約】　　　（修正有）【課題】互いにハード構成が異なる異機種の画像処理装置でも、同一のイメージリピート出力結果が得られるようにする。【解決手段】画像データを入力し、前記入力手段により入力された画像データをメモリに格納し、メモリに格納された画像データを繰り返し読み出すことにより画像をリピートしてシートに出力可能とするもので、出力用紙に対して画像を何回リピートすることが可能かを判断し、画像処理装置特有の制限を考慮して、出力用紙に対して画像を何回リピートすることが可能かを判断し、両者の結果から、読み取った画像データのサイズを補正するよう制御し、ユーザ操作を介して上記制御での動作指示を可能とする。【選択図】　　　図１
2004128871.tif 000002
【特許請求の範囲】
【請求項１】
画像データを入力する画像入力手段と、
前記入力手段により入力された画像データを格納する記憶手段と、
前記記憶手段に格納された画像データを出力用紙に出力する画像出力手段と、
前記記憶手段に格納された画像を繰り返し読み出すことにより画像をリピートしてシートに出力可能とする画像リピート手段と、
出力用紙に対して画像を何回リピートすることが可能かを判断する第一のリピート回数演算手段と、
画像処理装置特有の制限を考慮して、出力用紙に対して画像を何回リピートすることが可能かを判断する第二のリピート回数演算手段と、
第一と第二のリピート回数演算手段の結果から、読み取った画像データのサイズを補正する画像サイズ補正手段と、
上記画像リピート手段と、第一と第二のリピート回数演算手段、画像サイズ補正手段を制御する制御手段と、
ユーザ操作を介して前記制御手段への動作指示を可能にするユーザインターフェイス手段とを有することを特徴とする画像処理装置。
【請求項２】
前記画像入力手段により入力可能な画像サイズに関し、Ａ４サイズ、レターサイズなどの定型サイズの画像及びミリ、インチなどの不定形サイズの画像を入力可能なサイズとして前記ユーザインターフェイス手段を介して指定可能であって、前記画像サイズの指定方法によって、前記画像サイズ補正手段の動作を切り替えることを特徴とする請求項１の画像処理装置。
【請求項３】
画像データを入力する画像入力手段と、前記入力手段により入力された画像データを格納する記憶手段と、前記記憶手段に格納された画像データを出力用紙に出力する画像出力手段と、を有する画像処理装置の制御方法であって、
前記記憶手段に格納された画像を繰り返し読み出すことにより画像をリピートしてシートに出力可能とさせる画像リピート工程と、
出力用紙に対して画像を何回リピートすることが可能かを判断する第一のリピート回数演算工程と、
画像処理装置特有の制限を考慮して、出力用紙に対して画像を何回リピートすることが可能かを判断する第二のリピート回数演算工程と、
第一と第二のリピート回数演算工程の結果から、読み取った画像データのサイズを補正する画像サイズ補正工程と、
上記画像リピート工程と、第一と第二のリピート回数演算工程、画像サイズ補正工程を制御する制御工程と、を有し、
ユーザ操作を介して前記制御工程での動作指示を可能にすることを特徴とする画像処理装置の制御方法。
【請求項４】
画像データを入力する画像入力手段と、前記入力手段により入力された画像データを格納する記憶手段と、前記記憶手段に格納された画像データを出力用紙に出力する画像出力手段と、を有する画像処理装置に、以下のステップを実行させる為のコンピュータ読取可能な記憶媒体であって、
前記記憶手段に格納された画像を繰り返し読み出すことにより画像をリピートしてシートに出力可能とさせる画像リピート工程と、
出力用紙に対して画像を何回リピートすることが可能かを判断する第一のリピート回数演算工程と、
画像処理装置特有の制限を考慮して、出力用紙に対して画像を何回リピートすることが可能かを判断する第二のリピート回数演算工程と、
第一と第二のリピート回数演算工程の結果から、読み取った画像データのサイズを補正する画像サイズ補正工程と、
上記画像リピート工程と、第一と第二のリピート回数演算工程、画像サイズ補正工程を制御する制御工程と、を有し、
ユーザ操作を介して前記制御工程での動作指示を可能にすることを特徴とするコンピュータ読取可能な記憶媒体。
【発明の詳細な説明】
【０００１】
【発明の属する技術分野】
本発明は、リピート出力可能な画像処理装置及びその方法等に関するものである。
【０００２】
【従来の技術】
従来、スキャナ等の画像入力部から取り込んだ画像データをメモリ上に記憶し、その画像をメモリから繰り返して読みだして同一の出力用紙に出力させる等により、同一画像を一枚の用紙上に複数個印刷するリピート出力機能が提案されている。
【０００３】
【発明が解決しようとする課題】
しかしながら、このようなリピート出力機能において、読み取った画像サイズと、出力する用紙サイズから自動的に出力用紙にリピート可能な最大数を算出して、リピート出力する自動回数リピートモードが考えられるものの、画像処理装置のもつハード構成の違いなどにより、画像を操作できる画素数の単位が異なると、同じ原稿と出力用紙を使用しても自動回数リピートモードによって出力される画像のリピート回数が異なってしまい、機種間で統一性がなくなる等の不具合が想定され、同じ条件で同じ出力結果を異なる機種で得ようとしても、ユーザは所望の出力結果を得ることができず、所望の出力結果を何故得ることができないのかその理由すらもわからずユーザが困惑する等の問題が考えられる。
【０００４】
【課題を解決するための手段】
そこで、本発明は、同じ原稿と出力用紙を使用しても自動回数リピートモードによって出力される画像のリピート回数が異なってしまい、機種間で統一性がなくなる等の不具合や、同じ条件で同じ出力結果を異なる機種で得ようとしても、ユーザは所望の出力結果を得ることができず、所望の出力結果を何故得ることができないのかその理由すらもわからずユーザが困惑する等の問題が生じるのを防止した、上記課題を解決できる画像処理装置及びその方法並びに記憶媒体を提供する。
【０００５】
又、本発明は、上記課題を解決するべく、ハードの異なる画像処理装置であっても自動回数リピートモードによって出力される画像のリピート数に一貫性を持たせるために、ハード制限を考慮しないリピート回数演算手段と、ハード制限を考慮したリピート回数演算手段を用い、双方の演算結果が異なる場合に読み込み画像のサイズを変更することで、異なるハードをもつ画像処理装置であってもリピート回数を一定にするようにする。
【０００６】
又、本発明は、画像データを入力する画像入力手段と、前記入力手段により入力された画像データを格納する記憶手段と、前記記憶手段に格納された画像データを出力用紙に出力する画像出力手段と、前記記憶手段に格納された画像を繰り返し読み出すことにより画像をリピートしてシートに出力可能とする画像リピート手段と、出力用紙に対して画像を何回リピートすることが可能かを判断する第一のリピート回数演算手段と、画像処理装置特有の制限を考慮して、出力用紙に対して画像を何回リピートすることが可能かを判断する第二のリピート回数演算手段と、第一と第二のリピート回数演算手段の結果から、読み取った画像データのサイズを補正する画像サイズ補正手段と、上記画像リピート手段と、第一と第二のリピート回数演算手段、画像サイズ補正手段を制御する制御手段と、ユーザ操作を介して前記制御手段への動作指示を可能にするユーザインターフェイス手段とを有することを特徴とする画像処理装置、及びその方法並びに記憶媒体を提供することを目的とする。
【０００７】
【発明の実施の形態】
【実施例】
以下、本発明にかかる一実施形態について、図面を参照して詳細に説明する。図１は、本発明の実施形態を示す、複写機能等を有するデジタル複合機等の画像処理装置の一例としての多機能周辺機器（ＭＦＰ：Ｍｕｌｔｉ−Ｆｕｎｃｔｉｏｎ　Ｐｅｒｉｐｈｅｒａｌ）の構成を示す図である。
【０００８】
図１において、１０１は多機能周辺機器を制御するためのコントローラであり、図２に示すハードウエア構成を有している。１０２は画像入力部の１つとしてのスキャナエンジンであり、コントローラ１０１によって制御されている。１０３は、スキャナ１０２やネットワークインタフェース部１０５からの画像データのプリントを実行可能な画像出力部としてのレーザービームプリンタエンジンであり、コントローラ１０１によって制御されている。１０３のレーザービームプリンタエンジン１はフィニッシャー１０４に接続されており、同プリンタエンジンから出力された複数の記録媒体（例えば、紙）をまとめてステープル（ホッチキス）処理することが可能となっている。フィニッシャー１０４もコントローラ１０１によって制御されている。１０５は、上記スキャナ１０２とは異なる画像入力手段としての１つとしての、外部装置（ホストコンピュータ等）からの画像データを入力するネットワーク（イーサーネット）インターフェース部であり、コントローラ１０１に対して同インターフェースを通した双方向通信を提供している。１０６はユーザーインタフェースであり、ＬＣＤディスプレイとキーボードから構成されており、コントローラ１０１からの情報表示を行うとともにユーザからの指示をコントローラ１０１に伝える。また、Ｎｅｔｗｏｒｋ（Ｅｔｈｅｒｎｅｔ（Ｒ），ＴＣＰ／ＩＰ），のどのインターフェースからでも、全ての機能を使用可能である。上記コントローラ１０２は上記各ユニットを全体的に制御する。
【０００９】
図２は、図１に示す本実施形態のコントローラ１０１のハードウエア構成を示す図である。コントローラ１０１の内部では、ＣＰＵ３０１がバス３０９を介して、メモリ３０２，操作部１０６を構成する液晶ディスプレイ３０３及びキーボード３０４，ＲＯＭ３１０，ＤＩＳＫ３１１が接続されている。各種プログラム（後述のフローチャートの処理を実行する為のプログラム等を含む）及びデータは、ハードディスクやフロッピー（Ｒ）ディスク等のＤＩＳＫ３１１（記憶媒体）に記憶されており、必要に応じて順次メモリ３０２に読み出されてＣＰＵ３０１で実行される。このＤＩＳＫ３１１は、ＭＦＰに着脱可能でもＭＦＰに内蔵されたものでも良い。更に、プログラムは、ネットワークを介して他のＭＦＰからダウンロードされてＤＩＳＫ３１１に記憶される構成でも良い。
【００１０】
液晶ディスプレイ３０３、キーボード３０４は図１に示す操作部１０６を構成するものであり、ＣＰＵ３０１がディスプレイ３０３にデータを書き込むことにより表示を行い、ＣＰＵ３０１がキーボード３０４からデータを読み出すことにより、ユーザからの指示を入力する。
【００１１】
また、バス３０９には、ネットワークインターフェース３０５が接続されており、図１に示すネットワークインターフェース１０５に対応する。ＣＰＵ３０１がインターフェースからデータを読み込みまたは書き込むことによりインターフェースを使用した通信を行う。更に、バス３０９には、プリンタ３０６，フィニッシャ３０７，スキャナ３０８，が接続されており、これらは、図１に示すプリンタ１０３，フィニッシャ１０４，スキャナ１０２に対応するものであり、ＣＰＵ３０１がこれらのエンジンに対してデータの読み書きを行うことによりプリント・スキャンなどのエンジン動作および各種ステータス取得を行う。なお、プリンタ３０６，フィニッシャ３０７，スキャナ３０８は、ＭＦＰの内部ではなく、ネットワーク上にそれぞれ単体の周辺機器として存在し、それをＭＦＰのコントローラ１０１が制御しても良い。
【００１２】
又、コントローラのＣＰＵ３０１は、スキャナ１０２やネットワークインタフェイス１０５からの画像データをメモリ３０２に格納させる制御や、そのデータに基づいて画像処理した画像データをプリンタ３０６で印刷させる制御を行う。
【００１３】
又、コントローラ部１０１は、不図示の画像処理部を有し、該画像処理処理部やメモリ３０２を使い、メモリ３０２に格納された画像を繰り返し読み出して、同一画像をリピートし、プリンタ３０６により、同一画像を同一用紙上に複数個プリントさせる画像リピート機能を実行させる。
【００１４】
又、該コントローラ部１０１は、上記イメージリピート機能を実行する上で、出力用紙に対して画像を何回リピートすることが可能かを判断する第一のリピート回数演算部（不図示）と、画像処理装置特有の制限（ハードウエア構成による制限等）を考慮して、出力用紙に対して画像を何回リピートすることが可能かを判断する第二のリピート回数演算部（不図示）を有す。そして、当該第一、第二のリピート回数演算部の演算結果に基づいた、入力画像データのサイズを補正する画像サイズ補正処理を、上記不図示の画像処理部等を用いて実行させる。そして、上記演算結果に基づいた上記画像サイズ補正処理済みのイメージリピート用の画像を上記プリント部３０６にて同一用紙上に複数個プリントさせる。
【００１５】
上記コントローラ部１０１のＣＰＵ３０１は、上記スキャナ３０８や、ネットワークインアフェイス部３０５、プリンタ部３０６等を制御すると共に、このような、リピート機能を制御し、該処理を行う上で、上記画像処理部、メモリ３０２、第一、第二のリピート回数演算部（不図示）、画像サイズ補正処理等を制御し、尚且つ、このような制御を、操作部３０４からのユーザ操作に基づいて実行可能としている。
【００１６】
ＭＦＰの概観を図３に示す。画像入力デバイスであるスキャナ部４０１は、原稿となる紙上の画像を照明し、ＣＣＤラインセンサ（図示せず）を走査することで、ラスターイメージデータとして電気信号に変換する。
【００１７】
画像出力デバイスであるプリンタ部４０２は、ラスターイメージデータを用紙上の画像に変換する部分である。プリント動作の起動や停止は、コントローラＣＰＵ３０１からの指示によって開始する。操作部４０３の構成を図４に示す。液晶表示部５０１は、液晶上にタッチパネルシートが貼られており、システムの操作画面およびソフトキーを表示するとともに、表示してあるキーが押されるとその位置情報をコントローラＣＰＵ３０１に伝える。スタートキー５０２は原稿画像の読み取り動作を開始する時などに用いる。スタートキー５０２中央部には、緑と赤の２色ＬＥＤ５０３があり、その色によってスタートキー５０２が使える状態にあるかどうかを示す。ストップキー５０４は稼働中の動作を止める働きをする。
【００１８】
又、当該操作部４０３を介して、ユーザにより、上記イメージリピート機能を実行する上での、入力可能な画像サイズを指定可能としている。イメージリピート機能の際における指定可能なサイズの候補としては、Ａ４サイズ、レターサイズを含む定型サイズの画像のサイズ指定、及び、ミリ、インチなどの不定形サイズの画像のサイズ指定が可能であり、前記操作部４０３を介してユーザにより画像のサイズ指定を可能とする。そして、コントローラ部１０１のＣＰＵ３０２は、当該操作部４０３を介して入力されたユーザ操作に基づく、上記画像サイズの指定方法に応じて、上述のイメージリピート機能を実行する上での上記画像サイズ補正処理の動作を切り替えるよう制御している。
【００１９】
図５は、複数の画像入力手段のうちの１つとしてのスキャナ３０８からメモリ３０２に取り込んだ画像の状態を示すイメージ図である。この図では１６×１６ピクセルのメモリ上に９×９ピクセルの画像をとりこんだ状態を示している。通常、６００ｄｐｉクラスのスキャナを備えるものでは、Ａ４原稿をスキャンすると７０００×４７００ピクセル程度の画像になるが、説明のために小さ目のサイズとする。
【００２０】
図６はメモリ３０２上に取り込んだ画像の読み出しサイズを１ビット単位で処理できるハードを使用して図５に示した画像をリピートした図である。本形態における、理想的なリピート画像の一例を示す図である。
【００２１】
図６の例は、図５に示すメモリ３０２上の画像における該メモリ上の０，０から９ピクセル分のデータを読み出して、読み出した後に、再度０，０からデータを読み出して、用紙に出力し、この一連の処理を複数回繰り返して、イメージリピート処理を行った場合の例である。４８ピクセル分出力できる用紙にリピート印刷をおこなうと５回のリピートを行うことができる。
【００２２】
図７はメモリ上の画像の読み出しサイズを８ピクセル単位で処理できるハードウエア構成のものを使用した場合における、図５に示した画像のリピート処理を施した場合の図である。この図は、図６の出力例とは対照的に、ハード制限を受けた場合のリピート画像としての一例を示す図である。
【００２３】
上記制限を受けた当該ハード構成の場合、９×９ピクセルの画像をそのまま画像処理することができない。よって、９ピクセル分のデータを読み込んだあとに８の倍数になるように７ピクセルの空白を追加した形でメモリから読み出し、読み出したあとに０，０からデータを読み込んで、８の倍数である１６×１６ピクセルの画像としてリピートを行うよう画像処理を施す。４８ピクセル分出力できる用紙にリピート印刷を行うと３回のリピートを行うことができる。
【００２４】
このように、イメージリピート機能を行う上で図６に示す出力例となるような画像処理を実行可能なハードウエア構成を有す画像処理装置と、例えば、この画像処理装置とは機種が異なる等により、上記イメージリピート機能を行う上で図７に示す出力例となるような画像処理を実行可能なハードウエア構成を有す画像処理装置では、同じ画像サイズを同じ用紙に、リピート回数自動を行っても同じリピート回数が得られない（同じ出力結果がえら得れない）等が予想される。
【００２５】
図８は本発明の動作を示すフローチャートである。原稿サイズと用紙サイズから自動的にリピート回数が算出されるモードでコピージョブ（当該画像処理装置はコピー機能の他にも、外部コンピュータからの画像をプリントするプリント機能を有しているので、プリントジョブでも良い）が投入されると、ステップ９０２で基本リピート回数を求める。この例ではメモリ画像を１ビット単位で操作することのできる画像処理装置で最適なリピート回数となる算出式を使用している。
【００２６】
このステップでの計算式を、〔ｐａｐｅｒ値÷ｉｍａｇｅ値〕とする。「ｐａｐｅｒ値」の情報は、先の操作部から設定された用紙サイズ情報に基づく（この例では、入力された用紙サイズがＡ４サイズで、Ａ４サイズの出力用紙は４８ピクセル描画出来る用紙とし、これにより４８ピクセルという情報を得るものとする）。又、「ｉｍａｇｅ　値」の情報は、出力対象となる画像データにより特定される情報である（図５の入力画像の例では９ピクセルと勘定される。この出力対象となる画像の入力サイズも操作部からの情報に基づいて獲得する）。ステップＳ９０２での演算における上記算出式は、メモリに格納されており、先の第１の演算回路部で計算される。これらの情報は、操作部やサイズ検知センサからの入力により、該処理の為にメモリ上にセットされる。第１の演算回路部は、上記メモリに記憶している上記計算式に、上記セットさせた情報を代入して計算する。
【００２７】
図６の例をこの式に適用すると、〔ｐａｐｅｒ値（この例では、４８ピクセル）÷ｉｍａｇｅ値（この例では９ピクセル）＝５回（この計算結果は、コンピュータ形式の計算によるものとするものなので実際の値は異なる）〕となりｂａｓｅＮｕｍは「５」となる。
【００２８】
次に、ステップ９０３で画像処理装置に実際に搭載しているハード固有の制限を考慮したリピート回数を求める。尚、ステップＳ９０３での演算における上記算出式は、メモリに格納されており、先の第２の演算回路部で計算される。
【００２９】
ここでの計算式は、〔ｐａｐｅｒ値÷（（（ｉｍａｇｅ値）＋（Ｎ−１））÷Ｎ）×Ｎ〕で計算する。この「Ｎ」の値がハードウエア固有の情報である。これらの計算式及びハード固有の製品情報は予め初期情報としてメモリに登録されており、先の第２演算回路部で計算される。
【００３０】
この例ではメモリ上の画像を８の倍数でしか操作することのできないハード構成（画像処理可能な最小の画素数が８の構成の機種の画像処理装置）の場合の例として、Ｎを「８」で計算するものとし、算出式を使用している。「ｐａｐｅｒ値」及び「ｉｍａｇｅ値」は、先の情報のとおりであり、この例では、夫々「４８ピクセル」、「９ピクセル」と勘定される。
【００３１】
従って、図７の例をこの２番目の式に適用すると〔ｐａｐｅｒ（４８ピクセル）÷（（（ｉｍａｇｅ（９ピクセル）＋（８−１）÷８）×８））〕＝３回となりＮｕｍは３となる。
【００３２】
つぎにステップ９０４でｂａｓｅＮｕｍとＮｕｍが等しいかを判断する。この比較処理は、先のステップＳ９０１、９０２の各演算結果に基づき、各ステップで演算した結果を比較しあう。
【００３３】
ステップＳ９０４の判断で、両者が等しい場合はステップ９０６に移行し、リピート回数ｒｅａｌＮｕｍを決定する。ステップＳ９０４での判断が肯定判定の場合におけるステップＳ９０６の「ｒｅａｌＮｕｍ」の値は、ステップＳ９０２での演算結果の値（この例では「５」）とする。
【００３４】
ステップＳ９０４の判定で、両者の値が等しくない場合はｂａｓｅＮｕｍの回数分リピートが行えるように画像サイズを調整する。この例ではｐａｐｅｒ÷ｂａｓｅＮｕｍで用紙サイズをリピートしたい数ｂａｓｅＮｕｍで割り、ｉｍａｇｅ÷８×８のようにして、その値を超えないように８の倍数になるように丸める。そしてリピート回数ｒｅａｌＮｕｍにｂａｓｅＮｕｍの値を入れる。つぎにステップ９０７でｉｍａｇｅの長さだけｒｅａｌＮｕｍ回読み出してリピート画像を生成する。
【００３５】
つまり、このステップＳ９０５、９０７の処理では、ステップＳ９０１の演算結果とステップＳ９０２の演算結果が等しくないことに応じて、ステップＳ９０１の演算結果の値（理想的なイメージリピート回数）に相当する回数のイメージリピート処理を行う（理想的なイメージリピート回数に相当する数の同一画像を１枚の用紙の同一面上にプリントするための処理を行う）ようにする為に、イメージデータのサイズを補正する補正処理を行い（この例では、３回（３個）のイメージリピートなるはずのイメージデータを、理想的な値である５回（５個）のイメージリピートとなるように、出力対象となるイメージデータ（この例では「１」という画像）に対して縮小処理を施す）、サイズ補正済みの画像を、ステップＳ９０２で求めた演算結果に相当する回数分、リピート処理し（サイズ補正済みの画像データを繰り返し出力させる）プリントする（ステップＳ９０５でサイズ補正した画像を、ステップＳ９０２で演算した数分（この例では５個）同一シート上にプリントする）。
【００３６】
このシーケンスを適用したリピート画像を図９に示す。図５に示した９ｘ９ピクセルの画像を１ピクセル削り、８ｘ８ピクセルの画像として扱い、４８ピクセル描画できる用紙内に５回のリピート画像を形成している。
【００３７】
このように、本形態では、上記ステップＳ９０２での行う第１の演算処理〔ｐａｐｅｒ値÷ｉｍａｇｅ値〕及び、ステップＳ９０３で行う第２の演算処理の〔ｐａｐｅｒ値÷（（（ｉｍａｇｅ値）＋（Ｎ−１））÷Ｎ）×Ｎ〕のうちの、「ｐａｐｅｒ値」は、ユーザインタフェイス部の１つとしての操作部からのユーザ操作による出力用紙サイズの指定情報に基づくものであり（サイズ指定の候補としては、例えば、上述したように、Ａ４サイズ、レターサイズなどの定型サイズの画像サイズ入力、ミリ、インチなどの不定形サイズでの画像サイズ入力を可能とする）、「ｉｍａｇｅ　値」は、出力対象の画像データにより特定される情報（この情報も操作部からのエリア指定等の出力領域指定等により出力領域がユーザにより可変可能にする為などによりユーザ操作により入力される値にしても良いし、センサからの情報でもよい）であり、「Ｎ」の値が、その画像処理装置が有するハードウエア構成により特定される情報であり、装置固有の情報であり、装置に予めセットされている情報である。
【００３８】
そして、ステップＳ９０２、Ｓ９０３の各演算を行い、その両者の演算結果をステップＳ９０４で比較し、該比較結果に応じて、ステップＳ９０５で出力対象となる画像データのサイズ補正処理を行い、サイズ補正済み画像を生成し、このサイズ補正済み画像を、ステップＳ９０２で演算した数分だけ、ステップＳ９０７にてリピート処理し、プリントする。
【００３９】
以上説明したように、本形態によれば、画像データを入力し、入力された画像データをメモリに格納し、メモリに格納された画像データを出力用紙に出力し、メモリに格納された画像を繰り返し読み出すことにより画像をリピートしてシートに出力可能とする画像処理装置であって、出力用紙に対して画像を何回リピートすることが可能かを判断する第一のリピート回数演算処理を、コントローラ部が有す第１の演算処理部で、ユーザインタフェイス部を介して入力されたユーザからの設定情報を含む情報に基づいて、行い、画像処理装置特有の制限を考慮した、出力用紙に対して画像を何回リピートすることが可能かを判断する第二のリピート回数演算処理を、コントローラ部が有す第２の演算処理部で、ユーザインタフェイス部を介して入力されたユーザからの設定情報を含む情報（装置固有情報含む）に基づいて、行い、第一と第二のリピート回数演算処理の結果から、読み取った画像データのサイズを補正（変倍処理）をコントローラ部が有す不図示の画像処理部で行い、サイズ補正済みの画像データを、第１演算処理で演算した回数分に相当する数の画像を同一用紙上にプリントするよう、各ユニットを制御する。
【００４０】
これにより、従来のような「このようなリピート出力機能において、読み取った画像サイズと、出力する用紙サイズから自動的に出力用紙にリピート可能な最大数を算出して、リピート出力する自動回数リピートモードが考えられるものの、画像処理装置のもつハード構成の違いなどにより、画像を操作できる画素数の単位が異なると、同じ原稿と出力用紙を使用しても自動回数リピートモードによって出力される画像のリピート回数が異なってしまい、機種間で統一性がなくなる等の不具合が想定され、同じ条件で同じ出力結果を異なる機種で得ようとしても、ユーザは所望の出力結果を得ることができず、所望の出力結果を何故得ることができないのかその理由すらもわからずユーザが困惑する等の問題」が生じることを防止でき、異なるハードウエア構成の装置間でおいてもイメージリピート機能による出力結果に統一性を持たせることができ、同じ条件で同じ出力結果を異なる機種で同等に得ることができ、ユーザは所望の出力結果を得ることができ、出力結果の品質保証、ユーザ操作性の向上を図れることができる等の効果を奏すことが出来る。
【００４１】
更に、上記演算処理条件に用いられる情報として、ユーザが設定する候補を、Ａ４サイズ、レターサイズなどの定型サイズ、ミリ、インチなどの不定形サイズ等多数対処可能とし、所望の候補での画像サイズ入力を行えるようにすることができるので、上記効果を一層得られ、更に、本形態において、例えば、Ａ４、レターなどの定型サイズを指定されてコピーが行われた場合は画像サイズ補正を行い、統一されたリピート回数の画像出力を行い、不定形サイズでミリ単位での原稿サイズ指定でコピーが行われた場合は、正確な画像サイズ出力が必要とされるため、画像補正を行わず、ハード制限のあるリピート回数での出力を行うように動作を切り替えることができるように制御してもよい。
【００４２】
これにより、幅広いユーザのニーズに対応した、よりよい画像出力を得ることができる等の効果を奏することが出来る。
【００４３】
以上のように、例えば、同一の処理条件（用紙サイズ、画像サイズ等）の設定の場合において、各装置が有する固有のハードウエア構成（互いに、画像処理可能な最小の画素数が異なる機種同士等）によらずに、異種間の画像処理装置において統一したイメージリピート出力結果（１枚の出力用紙におけるイメージリピート回数が同じ出力結果）を得られるようにすることが出来る。
【００４４】
【発明の効果】
以上説明したように、請求項１の発明によれば、基準となるリピート回数演算手段と、ハード制限を考慮したリピート回数演算手段を使用して、その結果が異なる場合に読み込んだ画像サイズを補正することができるので、基準となるリピート回数で常にリピート画像を作ることができ、ハード構成のことなる画像処理装置であっても、この処理を適用していれば、原稿サイズと用紙サイズが同じであれば常に同じ回数のリピート画像を得ることができる。
【００４５】
請求項２の発明によれば、Ａ４、レターなどの定型サイズを指定されてコピーが行われた場合は画像サイズ補正を行い、統一されたリピート回数の画像出力を行い、不定形サイズでミリ単位での原稿サイズ指定でコピーが行われた場合は、正確な画像サイズ出力が必要とされるため、画像補正を行わず、ハード制限のあるリピート回数での出力を行うように動作を切り替えることができ、よりよい画像出力を得ることができる。
【図面の簡単な説明】
【図１】画像処理装置の全体構成を示す図
【図２】コントローラのハードウエア構成を示す図
【図３】画像処理装置の入出力デバイス外観図
【図４】操作部を示す説明図
【図５】入力画像の一例を示す図
【図６】理想的なリピート画像の一例を示す図
【図７】ハード制限を受けたリピート画像の一例を示す図
【図８】本願形態のフローチャートを示す図
【図９】本願形態による画像サイズ補正済みのリピート画像の一例を示す図
【図１】
2004128871.tif 000003
【図２】
2004128871.tif 000004
【図３】
2004128871.tif 000005
【図４】
2004128871.tif 000006
【図５】
2004128871.tif 000007
【図６】
2004128871.tif 000008
【図７】
2004128871.tif 000009
【図８】
2004128871.tif 000010
【図９】
2004128871.tif 000011